(57)【要約】【課題】  アドレス帳、通信履歴等の大事なデータを変更することなく、子供に預けても安心で、しかも子供が使って楽しい携帯通信端末を提供する。【解決手段】  操作部１２０にて所定の入力操作を受け付けたとき、通常の通信機能を提供する通常モードから、子供向けの遊び道具として一つ以上の特殊機能を提供する特殊モードへの切り替えを、制御部１７０が制御を特殊制御部１９０に渡すことにより行う。特殊制御部１９０は操作部１２０による入力操作によっては前記通常モードで使用する前記記憶手段の情報を変更することなく、特殊モードにて提供する特殊機能を実現するための動作を制御する。【選択図】  図１
2005328477.tif 000002
【特許請求の範囲】
【請求項１】
入力操作を受け付ける受付手段と、
所定の入力操作を受け付けた場合、通常の通信機能を提供する通常モードから、特殊機能を提供する特殊モードに切り替える切替手段と、
前記特殊モードに切り替えられた場合、前記受付手段により前記通常モードで使用されるデータの変更を禁止し、前記特殊モードでの動作を制御する特殊制御手段とを備えることを特徴とする携帯通信端末。
【請求項２】
前記特殊モードにおいて着信または受信があったとき、前記特殊制御手段の制御に割り込んで着信または受信の履歴を含めて前記通常モードで使用するデータの変更を行ない、着信の場合は更に、前記受付手段で通話に係る所定の入力操作を受け付けたとき、通話を可能とする制御手段を更に備えることを特徴とする請求項１記載の携帯通信端末。
【請求項３】
前記特殊モードを解除するためのパスワードを記憶する記憶手段を更に備え、
前記特殊制御手段は、
前記特殊モードにおいて前記受付手段にて前記パスワードの入力を含む所定の入力操作を受け付けたとき、前記通常モードに復帰させる通常モード復帰部を有することを特徴とする請求項１または請求項２記載の携帯通信端末。
【請求項４】
前記受付手段で受け付ける入力操作と当該入力操作により動作させる特殊機能とを対応付けた動作割当情報を記憶している特殊記憶手段を更に備え、
前記特殊制御手段は、更に、
前記受付手段により受け付けた入力操作が前記動作割当情報に記載されている入力操作のいずれに該当するか判定する判定部と、
該当する入力操作に対応付けられた特殊機能を動作させる特殊機能動作部とを有することを特徴とする請求項１乃至請求項３のいずれかに記載の携帯通信端末。
【請求項５】
音を出力する音声出力手段をさらに備え、
前記特殊機能は少なくともメロディ再生機能、演奏機能、音声再生機能のいずれかを含むことを特徴とする請求項４記載の携帯通信端末。
【請求項６】
音を記録する音声記録手段と、
音を出力する音声出力手段とをさらに備え、
前記特殊機能は少なくとも音声記録機能または通話機能のいずれかを含むことを特徴とする請求項４記載の携帯通信端末。
【請求項７】
音を記録する音声記録手段と、
音を出力する音声出力手段と、
撮像手段と、
画像を表示する表示手段とをさらに備え、
前記特殊機能は少なくとも静止画撮影機能または動画像撮影機能のいずれかを含むことを特徴とする請求項４記載の携帯通信端末。
【請求項８】
画像を表示する表示手段をさらに備え、
前記特殊機能は少なくともメール機能、ミラー表示機能、画像再生機能のいずれかを含むことを特徴とする請求項４記載の携帯通信端末。
【請求項９】
入力操作を受け付ける受付ステップと、
所定の入力操作を受け付けた場合、通常の通信機能を提供する通常モードから、特殊機能を提供する特殊モードに切り替える切替ステップと、
前記特殊モードに切り替えられた場合、前記受付ステップにより前記通常モードで使用されるデータの変更を禁止し、前記特殊モードでの動作を制御する特殊制御ステップとを有することを特徴とする携帯通信端末の制御方法。
【発明の詳細な説明】
【技術分野】
【０００１】
本発明は、携帯通信端末に関し、特に携帯通信端末への特殊機能の組込み技術に関する。
【背景技術】
【０００２】
マイコンチップの組込みにより、子供向けのおもちゃもますます精巧になっている。携帯通信端末の代表である携帯電話機のおもちゃを見ても、本物と識別困難な製品もあるほど、外観、機能いずれにも趣向が凝らされている。特許文献１には、本物感を演出するため着信通知の機能を有するおもちゃの携帯電話機の技術が開示されている。
一方、好奇心旺盛な子供から見れば身近なものは何でも遊び道具となり得る。特に親が携帯電話を盛んに使っているのを日々見ている子供にとって、それこそ格好のおもちゃと見える。
【０００３】
本物の携帯電話機をいじられ、誤って電話発信されたり、セキュリティ上の問題、例えば大事なアドレス情報や履歴情報の消去がされるといったことが親の心配の種となる。
そうしたケースに対応するために、特許文献２にデータ保護に関する技術が開示されている。
【特許文献１】実用新案登録３０８９８４８公報
【特許文献２】特開２００２−１４２０１０公報
【発明の開示】
【発明が解決しようとする課題】
【０００４】
しかし、上記のようなセキュリティ技術を適用して大事なデータを保護するのはよいが、子供の遊び心や好奇心を萎縮させたくないという要望がある。
本発明は、上記の点に鑑み、子供の操作による予期しない事態を防止し、しかも使って楽しい携帯通信端末を提供することを目的とする。
【課題を解決するための手段】
【０００５】
上記課題を解決するために本発明の携帯通信端末は、入力操作を受け付ける受付手段と、
所定の入力操作を受け付けた場合、通常の通信機能を提供する通常モードから、特殊機能を提供する特殊モードに切り替える切替手段と、前記特殊モードに切り替えられた場合、前記受付手段により前記通常モードで使用されるデータの変更を禁止し、前記特殊モードでの動作を制御する特殊制御手段とを備えることとしている。
【発明の効果】
【０００６】
上記構成により、特殊モードのとき、入力操作によっては前記通常モードで使用する情報を変更されてしまう心配が要らないので、子供の操作による予期しない事態を防止し、しかも一つ以上の特殊機能を提供するので、子供にとって使って楽しい携帯通信端末を提供できる。
また、前記特殊モードにおいて着信または受信があったとき、前記特殊制御手段の制御に割り込んで着信または受信の履歴を含めて前記通常モードで使用するデータの変更を行ない、着信の場合は更に、前記受付手段で通話に係る所定の入力操作を受け付けたとき、通話を可能とする制御手段を更に備えることとしている。
【０００７】
これにより、特殊モードのときでも、着信による呼び出しがあった場合、通話に関する所定の操作を受け付けたとき、前記特殊制御手段に割り込んで通話を可能とすることができる。
また、前記特殊モードを解除するためのパスワードを記憶する記憶手段を更に備え、前記特殊制御手段は、前記特殊モードにおいて前記受付手段にて前記パスワードの入力を含む所定の入力操作を受け付けたとき、前記通常モードに復帰させる通常モード復帰部を有することとしている。
【０００８】
これにより、特殊モードから通常モードに戻るには、そのためのパスワードの入力操作が必要なので、簡単には通常モードに戻すことはできず、親は安心して子供に預けることができる。
また、前記受付手段で受け付ける入力操作と当該入力操作により動作させる特殊機能とを対応付けた動作割当情報を記憶している特殊記憶手段を更に備え、前記特殊制御手段は、更に、前記受付手段により受け付けた入力操作が前記動作割当情報に記載されている入力操作のいずれに該当するか判定する判定部と、該当する入力操作に対応付けられた特殊機能を動作させる特殊機能動作部とを有することとしている。
【０００９】
これにより、受付手段で受け付けるた操作に対応する特殊機能を動作させることができる。
また、音を出力する音声出力手段をさらに備え、前記特殊機能は少なくともメロディ再生機能、演奏機能、音声再生機能のいずれかを含むこととしている。
これにより、メロディ再生、演奏あるいは音声再生の特殊機能を動作させることができる。
【００１０】
また、音を記録する音声記録手段と、音を出力する音声出力手段とをさらに備え、前記特殊機能は少なくとも音声記録機能または通話機能のいずれかを含むこととしている。
これにより、音声記録あるいは通話ができる。
また、音を記録する音声記録手段と、音を出力する音声出力手段と、撮像手段と、画像を表示する表示手段とをさらに備え、前記特殊機能は少なくとも静止画撮影機能または動画像機能のいずれかを含むこととしている。
【００１１】
これにより、静止画撮影あるいは動画像撮影ができる。
また、画像を表示する表示手段をさらに備え、前記特殊機能は少なくともメール機能、ミラー表示機能、画像再生機能のいずれかを含むこととしている。
これにより、メール、ミラー表示あるいは画像再生ができる。
上記課題を解決するために本発明の携帯通信機器の制御方法は、入力操作を受け付ける受付ステップと、所定の入力操作を受け付けた場合、通常の通信機能を提供する通常モードから、特殊機能を提供する特殊モードに切り替える切替ステップと、前記特殊モードに切り替えられた場合、前記受付ステップにより前記通常モードで使用されるデータの変更を禁止し、前記特殊モードでの動作を制御する特殊制御ステップとを有することとしている。
【００１２】
上記の制御方法により特殊モードのとき、入力操作によっては前記通常モードで使用する情報が変更されてしまう心配が要らないので子供の操作による予期しない事態を防止し、しかも一つ以上の特殊機能を提供するので、子供にとって使って楽しい携帯通信端末の制御ができる。
【発明を実施するための最良の形態】
【００１３】
本発明に係る携帯通信端末の一実施の形態について図面を用いて説明する。
図１は、本実施の形態の携帯電話機の構成を示す図である。
携帯電話機は、情報記憶部１００、特殊情報記憶部１０１、通信部１１０、操作部１２０、表示部１３０、音声処理部１４０、カメラ部１５０、シンセサイザ部１６０、制御部１７０、特殊制御部１９０から構成される。
【００１４】
図２は、本実施の形態の折り畳み式でカメラ付の携帯電話機を、開いた状態と、閉じた状態とのそれぞれの外観を示す図である。
上述の構成各部について以下に述べる。
情報記憶部１００は、RAM（Random Access Memory）、またはROM（Read Only Memory）等で実現され、通話を含む通信に関する各種の情報、例えばアドレス帳、受信メール、受信履歴、あるいは着信メロディ等を記憶する。また、後述の特殊制御部１９０が制御する特殊モードを解除し、制御部１７０が制御する通常モードへ復帰するためのパスワードも記憶している。当該パスワードは、特殊モード解除パスワードと呼ばれ、制御部１７０により設定され、制御部１７０と特殊制御部１９０とにより参照される。
【００１５】
図３は、情報記憶部１００が特殊モード解除パスワード３０１と着信メロディデータ３０２とを記憶していることを示している。なお、情報記憶部１００には、他にも種々の情報が記憶されているが図示していない。
着信メロディデータ３０２は、メロディのフォルダとそれに含まれるデータファイルからなり、１つのメロディは１つのデータファイルに記憶され、各データファイルは記憶しているメロディの識別名により制御部１７０により管理されている。
【００１６】
特殊情報記憶部１０１は、上述した情報記憶部１００と同様にRAM、ROM等で実現され、特殊モードにおいて作成あるいは参照される情報を記憶している。
ここで、特殊モードとは、発信履歴、アドレス帳など、子供にデータを変更されては困るような場合のデータ変更を禁止し、カメラ、ムービーなど子供が使用し、楽しませるようなおもちゃ機能のモードであり、また、特殊機能とは、おもちゃ機能のことである。
【００１７】
図４は、特殊情報記憶部１０１が記憶している情報の一例を示す図である。
特殊情報記憶部１０１が記憶する情報には、音と画像に関する情報と、各種の割当の情報とがある。割当の情報とは入力操作で受け付けるキーと、そのキーに割り当てた（対応付けた）処理内容とを示す情報である。
音と画像に関する情報には、写真データ４０１、ムービーデータ４０２、ボイスレコードデータ４０３がある。
【００１８】
上記の各データは、着信メロディデータ３０２と同様、いずれもフォルダとそれに含まれるデータファイルからなり、各データファイルは特殊モードにおいて特殊制御部１９０の制御のもとで作成され、また通常モードにおいて制御部１７０の制御のもとで、ネットワークを通じたダウンロード等により作成され、特殊制御部１９０により参照される。
ムービーデータ４０２は、音声を含む動画のデータである。ムービーデータ４０２のデータファイルは、ディジタルカメラが扱う動画が圧縮された形式（MPEG形式）で記録されている。ムービーには、カメラ部１５０で撮影したものと、通常モードにおいて通信部１１０を通じてダウンロードされたものとがあり、いずれもカメラ部１５０により再生が行なわれる。
【００１９】
割当の情報には、動作モード割当４１０、メロディ割当４１１、ビデオ割当４１２、ボイス割当４１３、ギター割当４１４、ドラム割当４１５、ピアノ割当４１６があり、特殊制御部１９０により参照される。
これらの割当の情報について次に述べる。
動作モード割当４１０は、受け付けるキーに対して、特殊モードにおいて動作させる特殊機能の種類（以下「動作モード」という）を割り当てた表である。
【００２０】
図５は、動作モード割当の一例を示す図である。
動作モード割当４１０が示すように、キー５０１の項目で示すテンキー１２１の各数字キー、通話キー１２８、メールキー１２７の各キーの押下の入力操作に対して、動作モード５０２として、例えばカメラ（写真撮影）、ムービー（ムービー撮影）等が割り当てられている。なお、特徴５０３は、動作モードの特徴を示すコメントである。
【００２１】
図６は、メロディ割当とギター割当の各表の一例を示す図である。
メロディ割当４１１は、動作モードがメロディモードのときに参照され、キー６０１の項目の各キーの押下の入力操作に対して、割当データ識別名６０２の項目においてメロディのデータファイルの識別名がそれぞれ割り当てられていることを示している。
ビデオ割当４１２も、メロディ割当４１１と表の形式は同様であり、割当データ識別名６０２の項目にはムービーのデータファイルの識別名が割り当てられる。
【００２２】
ギター割当４１４は、動作モードがギターモードのときに参照され、テンキー１２１に対して割当音階６１２の項目においてそれぞれ音階が割り当てられていることを示す。
ボイス割当４１３およびピアノ割当４１６も、ギター割当４１４とデータの形式は同様である。また、ドラム割当４１５は、音階の割当の代わりに音の割当であることを除けば、ギター割当４１４と同様である。なお、ボイス割当４１３の「ド」「レ」「ミ」等は、図４のボイスレコードデータ４０３に記録されている同名の識別名のボイスのデータファイルが対応し、それらが参照される。
【００２３】
通信部１１０は、アンテナ１１１を通じて、不図示の通信基地局と所定の周波数帯域の無線電波により、通話、メール等の送受信を行なう。
通信部１１０は、アンテナ１１１が受け取った通信基地局からの電波の変調信号を、着信（電話の着呼要求）、音声、メールの受信などの信号に復調し、後述の制御部１７０に伝達する。また逆に、当電話機の話者の音声、送信メールなどの信号を変調し、アンテナ１１１を通じて通信基地局に伝達する。
【００２４】
操作部１２０は、ユーザによる各種の入力操作を受付ける。受け付ける入力操作には、電話の発信と受信のための操作などがある。操作部１２０は、ユーザによるキーを通じて受け付けた操作を指定された制御部１７０または特殊制御部１９０のいずれかに伝達する。いずれに伝達するかの指示は、制御部１７０または特殊制御部１９０から受け取る。制御部１７０に伝達するときは通常モードと呼び、特殊制御部１９０に伝達するときは、特殊モードと呼ぶ。
【００２５】
図２(a)には、操作部１２０における各種キーの配置が示されている。通常モードと特殊モードとで一部呼び名が異なる。
両モードに共通なものでは、０から９の数字からなるテンキー１２１、サイドキー１２２、シャッタキー１２３、ムービー撮影キー１２４、終了キー１２５、メールキー１２７、通話キー１２８、十字カーソル１２９等があり、特殊モードでは、録音キー１２６がある。通常モードでは、録音キー１２６はメニュキー１２６と呼ばれる。
【００２６】
表示部１３０は、制御部１７０または特殊制御部１９０により制御され、指示された情報を表示する。表示部１３０のスクリーンは、指示されたものを表示する通常の状態と、鏡の状態とのいずれかの状態を有するミラー液晶パネルで実現され、鏡化部１３５により鏡の状態への設定（以下「鏡化」という）あるいは解除が行なわれる。ミラー液晶パネルとその技術は公知であり、その説明は省略する。
【００２７】
表示部１３０に表示される情報には、メニュ、写真、ムービー等がある。
また、表示部１３０の一部として副表示部１３１（図２（b））がある。副表示部１３１には、着信または受信のとき、それを報知するための照明の点滅とメッセージの表示とに利用される。
鏡化部１３５は、特殊制御部１９０の指示により、表示部１３０を鏡化またはその解除を行なう。
【００２８】
音声処理部１４０は、音および声を出力する音声出力と、音および声を入力する音声入力とを行なう。音声処理部１４０は、図２に示すスピーカ１４１およびマイク１４２を含み、音声出力はスピーカ１４１を通じ、また音声入力はマイク１４２を通じて行なう。
音声処理部１４０は、通話状態において通信部１１０から音声信号を受け取ると、それをスピーカ１４１により出力する。また、通話状態においてマイク１４２から受け取った当電話の話者の音声を通信部１１０に伝達する。また、特殊制御部１９０、シンセサイザ部１６０、またはカメラ部１５０から伝達された音声信号をスピーカ１４１から出力し、またマイク１４２が集音した音声の信号を通信部１１０または特殊制御部１６０に伝達する。
【００２９】
カメラ部１５０は、ディジタルカメラの機能を有し、カメラのレンズ１５１（図２（b））を通じて外部の被写体の撮影および再生を行なう。カメラ部１５０は、通常モードのときは制御部１７０から、また、特殊モードのときは特殊制御部１９０からの指示により、プレビュー（モニタ表示）し、写真撮影あるいはムービー撮影を行い、撮影したデータを、携帯電話機が通常モードのとき情報記憶部１００に、また、特殊モードのときは特殊情報記憶部１０１の写真データ４０１またはムービーデータ４０２のフォルダにそれぞれ一時的データファイルとして記録する。
【００３０】
また、撮影した一時的データファイルあるいは指定されたデータファイルを読み込み、映像は表示部１３０に表示し、更にデータファイルがムービーの場合、当該ムービーに音声も含まれていれば更に音声処理部１４０を通じて音声を出力する。なお、上記の一時的データファイルの保存指定を受け付けたとき、特殊制御部１９０は上記の一時的データファイルは保存用データに変更して保存する。
【００３１】
シンセサイザ部１６０は、サウンドの合成処理を行う。シンセサイザ部１６０は、特殊制御部１９０から楽器、例えばギター、ドラム、またはピアノの指定を受け取ると、その楽器をシミュレート（模倣）する。そして、音階または音の指定を受け取ると、当該楽器の指定の音階または音の信号を生成し、音声処理部１４０に伝達して、その音を再生させる。
【００３２】
制御部１７０は、通話、メール送受信等の通信機能を制御し、また、特殊モードの環境の設定を行う。
制御部１７０は、携帯電話機の電源が設定されると起動され、携帯電話を通常モードに設定する。ここで通常モードとは、携帯電話機の本来の機能である通信に係る機能を実行するモードのことであり、制御部１７０が携帯電話機を制御している状態を意味する。
【００３３】
通常モードになると、制御部１７０は操作部１２０に対して、今後受け付ける入力操作の伝達先を制御部１７０にするように指定する。
制御部１７０は、操作部１２０が受け付けた操作に応じた通信等に関する処理を行なう。
制御部１７０が行なう通信等の処理には、電話の機能である通話処理、メールの送受信、通信部１１０を制御しネットワークを通じた各種の情報のアクセスを行う。、当該アクセスには、ムービーの情報を特殊情報記憶部１０１のムービーデータ４０２へダウンロードすることが含まれる。
【００３４】
また、通話処理としては、通話テンキー１２１の押下による電話番号に続いて通話キー１２８の押下を操作部１２０が受け付けると、制御部１７０にその旨が伝達され、制御部１７０は当該の電話番号に対する発信（呼出し要求）の信号を通信部１１０を通じて、通信基地局に送信する。
また、逆に、通信部１１０を通じて通信基地局から着信（呼出し要求）の信号を受け取ると、制御部１７０は、その旨を副表示部１３１に表示し、照明を点滅する。
【００３５】
制御部１７０は、特殊制御部１９０の実行環境の設定を次のようにして行う。
操作部１２０がメニュキー１２６の押下を受け付けると、その旨が制御部１７０に伝達され、制御部１７０は特殊モードの環境設定のためのメニュを表示部１３０に表示する。
図７は、制御部１７０が表示する特殊モードの環境設定メニュの一例を示す図である。
特殊モードの環境設定メニュ７０１を通じて行なう設定には、図３に示した特殊モード解除パスワード３０１の設定、図５で示した動作モード割当４１０の設定、およびメロディ割当４１１等がある。
【００３６】
特殊モード解除パスワード３０１の設定は、次のようにして行なう。当該メニュ項目は１であるので、数字１のキーの押下が操作部１２０により受け付けられると、その旨が特殊制御部１９０に伝達され、制御部１７０は情報記憶部１００の特殊モード解除パスワード３０１を読み出し、それを表示部１３０に表示する。パスワードは最初は５桁の数字０００００に設定されている。親は新たなパスワード（５文字以上２０文字までの英数字の組合せ）を適当なキー操作で入力すると、その新たなパスワードを操作部１２０が受け付け、制御部１７０に伝達する。制御部１７０は、新たなパスワードを特殊モード解除パスワード３０１に設定（上書き）する。親は子供に携帯電話機を渡す前に、制御部１７０により上記のパスワードの設定を行っておく必要がある。
【００３７】
同様に、割当に関する設定の方法も次に述べるように行われる。設定環境設定メニュ７０１のメニュ項目の番号に相当する数字キーの押下が操作部１２０により受け付けられると、その旨が特殊制御部１９０に伝達され、特殊制御部１９０はその項目に該当する割当の情報を、特殊情報記憶部１０１から読み出して表示部１３０に表示する。そして、テンキー１２１、十字カーソル１２９（割当の表の列、行間の移動に利用）等の操作により入力された情報を操作部１２０から受け取り表示部１３０に表示し、またその情報を特殊情報記憶部１０１の当該割当の情報に設定する。
【００３８】
制御部１７０は、操作部１２０がサイドキー１２２の長押しを受け付けた旨の伝達があったとき、携帯電話機を通常モードから特殊モードに切り替えるため、特殊制御部１９０を起動し、制御を渡す。特殊モードにおいて、受信または着信があったとき、制御部１７０がその処理を行なうが、その詳細は後述する。
特殊制御部１９０は、制御部１７０により起動され、携帯電話機を特殊モードに設定し、特殊機能を実行する。特殊制御部１９０は、起動されると、表示部１３０に特殊モードの待ち受け画面を表示し、待ち受け状態となって動作させる特殊機能、つまり動作モードの指定を待つ。
【００３９】
図８は、特殊制御部１９０が表示部１３０に表示する待ち受け画面の背景画像の一例である。
特殊制御部１９０は、特殊モードの待ち受けの状態になったとき、特殊モードの待ち受け背景画面８０１に対して、図５で示した動作モード割当４１０のうちのキー５０１と動作モード５０２とを上書きしたものを表示部１３０に表示する。
【００４０】
そして、操作部１２０がユーザによるキーの入力操作（キーの押下）を受け付け、操作部１２０からその旨の伝達を受け取ると、制御部１７０は、動作モード割当４１０の当該キーに対応する動作モードを実行する。
各動作モードについて、動作モード割当４１０に基いて次に説明する。
キー１（数字１のキーであり以下同様）が押下されたとき、動作モードはカメラモードとなる。特殊制御部１９０はカメラ部１5０を起動し、カメラレンズ１５１が捕えた映像を表示部１３０にプレビューとして表示させる。
【００４１】
プレビューの状態で、シャッタキー１２３の押下を操作部１２０が受け付けると、その旨が操作部１２０から特殊制御部１９０に伝達され、特殊制御部１９０は、受け付けた時点の映像の表示を、所定の時間、例えば１０秒間静止させる。
あるいは、表示と同時に特殊制御部１９０はカメラ部１５０に対して、図４の写真データに1枚の写真として記録させ、上記写真の表示後、写真データ４０１に保存されている写真を順次スライド表示させるようにしてもよい。
【００４２】
特殊モードの待ち受け状態において、キー２が押下されると、ムービーモードとなる。
ムービーモードにおいて、ムービー撮影キー１２４の押下を受け付けると（操作部１２０が受け付け、特殊制御部１９０に伝達されると、の意味であり以下同様）、特殊制御部１９０はカメラ部１5０を起動し、カメラレンズ１５１がとらえた映像を表示部１３０にプレビューとして表示させるとともに、録音を含むムービー撮影を開始し、撮影した映像と音声をムービーデータ４０２の一時的データとして記録させる。録音は、音声処理部１４０のマイク１４２により集音を撮影と併行して行なう。そして終了キー１２５の押下を受け付けると、特殊制御部１９０はカメラ部１5０に撮影を終了させた後、当該撮影したムービーデータを指定し、それを再生させる。カメラ部１５０は、映像の再生は表示部１３０に、また音声の再生は音声処理部１４０のスピーカ１４１により行なう。
【００４３】
特殊モードの待ち受け状態において、キー３が押下されると、ボイスレコーダモードとなる。
ボイスレコーダモードにおいて、録音キー１２６の押下を受け付けると、特殊制御部１９０はボイス（音声）の録音を開始する。つまり、音声処理部１４０のマイク１４２が集音をしたボイスをボイスレコードデータ４０３に一時的データファイルとして記録する。そして、終了キー１２５の押下を受け付けると記録を終了し、記録したボイスレコードを音声処理部１４０のスピーカ１４１により再生する。
【００４４】
なお、上述のカメラモード、ムービーモード、ボイスレコーダモードにおいて、当該モードを終了するとき、特殊制御部１９０は、写真、ムービまたはボイスレコードの一時的データファイルがあるかチェックし、あればその保存をするか否かを表示部１３０で問い合わせ、保存の指示があれば、上記の一時的データファイルを保存用データに変更するようにしてもよい。例えば、ボイスレコーダモードで録音したお母さんのボイスレコードを保存することにより、後述のお電話モードの応答に利用することもできる。
【００４５】
特殊モードの待ち受け状態において、キー４が押下されると、メロディモードとなる。
メロディモードにおいて、テンキー１２１のうちいずれかのキー押下を受け付けると、特殊制御部１９０は図４のメロディ割当４１１を参照し、当該キーに割り当てられたメロディのデータファイルを指定して、その再生を音声処理部１４０に実行させる。
特殊モードの待ち受け状態において、キー５が押下されると、ビデオモードとなる。
【００４６】
ビデオモードにおいて、テンキー１２１のうちいずれかのキー押下を受け付けると、特殊制御部１９０はビデオ割当４１２を参照し、当該キーに割り当てられたムービーのデータファイルを指定して、その再生をカメラ部１5０に実行させる。
特殊モードの待ち受け状態において、キー６が押下されると、ボイスレコーダモードとなる。
【００４７】
ボイスレコーダモードにおいて、テンキー１２１のうちいずれかのキー押下を受け付けると、特殊制御部１９０はボイス割当４１３を参照し、当該キーに割り当てられたボイスレコードのデータファイルを指定して、その再生を音声処理部１４０に実行させる。
特殊モードの待ち受け状態において、キー７が押下されると、楽器のギターモードとなる。
【００４８】
ギターモードになったとき、特殊制御部１９０は、まずシンセサイザ部１６０に対し、ギターを今後シミュレートする楽器として指定する。
ギターモードにおいて、テンキー１２１のうちいずれかのキー押下を受け付けると、特殊制御部１９０は図４のギター割当４１４を参照し、当該キーに割り当てられた音階のギター音を指定してシンセサイザ部１６０に再生させる。
【００４９】
特殊モードの待ち受け状態において、キー８が押下されると、楽器のドラムモードとなる。
ドラムモードになったとき、特殊制御部１９０は、まずシンセサイザ部１６０に対し、ドラムを今後シミュレートする楽器として指定する。
ドラムモードにおいて、テンキー１２１のうちいずれかのキー押下を受け付けると、特殊制御部１９０はドラム割当４１５を参照し、当該キーに割り当てられたドラム音を指定してシンセサイザ部１６０に再生させる。
【００５０】
特殊モードの待ち受け状態において、キー９が押下されると、楽器のピアノモードとなる。
ピアノモードになったとき、特殊制御部１９０は、まずシンセサイザ部１６０に対し、ピアノを今後シミュレートする楽器として指定する。
ピアノモードにおいて、テンキー１２１のうちいずれかのキー押下を受け付けると、特殊制御部１９０は図４のピアノ割当４１６を参照し、当該キーに割り当てられた音階のピアノ音を指定してシンセサイザ部１６０に再生させる。
【００５１】
特殊モードの待ち受け状態において、キー０が押下されると、鏡モードとなる。
鏡モードになったとき、特殊制御部１９０は鏡化部１３５に対し、表示部１３０を鏡化する指示を行う。鏡モードを終了するとき、特殊制御部１９０は鏡化部１３５に対し、表示部１３０の鏡化を解除する指示を行う。
特殊モードの待ち受け状態において、通話キー１２８が押下されると、お電話モードとなる。
【００５２】
お電話モードになったとき、特殊制御部１９０は、「プルプル」という着信音を音声処理部１４０を通じてスピーカ１４１に鳴動させ、マイク１４２を通じてユーザの声を受け取った後、ボイスレコードデータ４０３のうちの所定のデータ、例えばお母さんの声のデータを指定し、音声処理部１４０に再生させることによる擬似的な応答を行なう。
特殊モードの待ち受け状態において、メールキー１２７が押下されると、お手紙モードとなる。
【００５３】
お手紙モードになったとき、特殊制御部１９０は、メールの宛先、主題、本文からなる作成画面（不図示）を表示部１３０に表示し、操作部１２０が受け付けたキーの文字を操作部１２０から受け取り、それらを順次表示する。宛先、主題、本文の移動は十字カーソル１２９の上下のキーの操作で行なわれ、入力操作は通常モードでのメール作成と同様であるので、詳細な説明は略す。なお、アドレス帳の参照、更新は行なわない。また、子供向けの絵文字を入力できるようにしてもよい。
【００５４】
そして、終了キー１２５の押下を受け付けると、特殊制御部１９０は「お手紙を送信しました」というメッセージを表示部１３０に表示するとともに、そのボイスデータを指定して音声処理部１４０にその再生を行わせる。
以上の１２の各動作モードにおいて、所定の時間、例えば１分間、何らの処理も行われないとき、または各動作モードにおいて終了キー１２５が押下されたとき、特殊制御部１９０は、実行中の動作モードを終了し、特殊モードの待ち受け状態に戻す。
【００５５】
特殊モードの待ち受け状態、あるいは上記の動作モードにおいて、通信部１１０がアンテナ１１１を介して通信基地局から着信（通話の呼び出し）または受信の信号を受け取ると、制御部１７０にその旨を伝達する。制御部１７０は、特殊制御部１９０の処理中に一時的に割り込み、情報記憶部１００に新たな着信履歴または受信履歴を作成するとともに、着信または受信の旨の表示を副表示部１３１に行なう。
【００５６】
そして、着信の場合は更に、副表示部１３１においてバックライトの点滅を３回行い、また操作部１２０に対して今後の入力操作の伝達先を制御部１７０にするように指示する。
そして、受信の場合、受信メールを受け取り、情報記憶部１００に記録して、制御を特殊モードに戻す。
【００５７】
着信の場合、呼び出し中にユーザによりサイドキー１２２の長押し中に通話キー１２８の押下の操作を受け付けると、操作部１２０は制御部１７０にその旨を伝達する。制御部１７０は、通信部１１０に対して、呼び出し元との通話接続の処理を行わせ、通話の後で、通話ボタンが再び押下されたとき通話接続の終了処理を行ない、制御を特殊モードに戻す。なお、呼び出し中に上記キー操作をしないで、呼び出しが終了したときも、制御を特殊モードに戻す。特殊モードに戻す際、制御部１７０は、操作部１２０に対して今後の入力操作の伝達先を特殊制御部１９０にするように指示する。
【００５８】
制御を戻された特殊モードは中断していたところから処理を再開する。
また、特殊モードの待ち受け状態において、サイドキー１２２の長押し中に、特殊モード解除パスワードの入力操作を操作部１２０が受け付け、その旨が伝達されると、特殊制御部１９０は、上記の動作モードのうち一時的データ、例えばカメラモードの写真のデータを作成していた場合、それらを削除する。そして制御部１７０に携帯電話機の制御を戻すことにより、携帯電話機を特殊モードから通常モードに戻す。
【００５９】
図９および図１０は、特殊モードの動作を示すフローチャートである。
特殊モードの動作についてこれらの図を用いて説明する。
携帯電話機が通常モードの待ち受け状態の場合、ユーザによってサイドキー１２２が長押しされたとき、それを受け付けた操作部１２２はその旨を制御部１７０に伝達する（S１０）。
【００６０】
制御部１７０は、携帯電話機の制御を特殊制御部１９０に渡し、特殊制御部１９０は、携帯電話機を通常モードから特殊モードに切替える（S２０）。
特殊制御部１９０は、特殊モードの待ち受け背景画面８０１に対して特殊モードの操作に係る情報である動作モード割当４１０を上書きした特殊モードの待ち受け画面を、表示部１３０に表示する。また、操作部１２０に対して、入力操作を受け付けたときの今後の伝達先を特殊制御部１９０とするように指示する。
【００６１】
なお、特殊制御部１９０は、待ち受け画面を表示する際、「マナーモードに設定しますか？」という問い合わせを表示部１３０に行い、「はい」または「いいえ」のどちらかの応答を操作部１２０を介して受け取り、「はい」のとき、通常モードに戻る迄の間は、音声出力は行わないようにしてもよい。この設定は、例えば親が電車内で子供に携帯電話機を貸し与える場合などに利用できる。
【００６２】
操作部１２０が受け付けたユーザによる入力操作が、動作モード割当４１０（図４）に記載されたキーのいずれかに該当するかをチェックし、当該キーに対応した特殊機能の動作モード実行の処理を行なう（S４０）。
通信部１１０が、通信基地局からアンテナ１１１を介して着信または受信の信号を受け付けたとき（S５０）、制御部１７０にその旨を伝達する。制御部１７０は特殊制御部１９０の処理中に一時的に割り込み、情報記憶部１００に新たに着信履歴または受信履歴を作成する。そして、着信の場合は更に、操作部１２０に今後の入力操作の伝達先を制御部１７０にするように指示する。また、副表示部１３１に照明を点滅させ、また着信または受信の旨を報知する表示を副表示部１３１に行なう（S６０）。
【００６３】
そして、受信の場合、受信メールを通信部１１０を通じて受け取り、情報記憶部１００に記録して、制御を特殊制御部１９０に戻す。
着信の場合、呼び出し中にユーザによりサイドキー１２２の長押し中に通話キー１２８の押下の操作を受け付けると（S６５）、操作部１２０は制御部１７０にその旨を伝達する。
【００６４】
制御部１７０は、通信部１１０に対して呼び出し相手との通話接続の処理を行わせ（S７０）、通話の後、通話ボタンが再び押下されたとき（S７５）、通話処理の終了処理を行ない、制御を特殊制御部１９０に戻す。なお、呼び出し中に上記キー操作をしないで、呼び出しが終了したときも、制御を特殊制御部１９０に戻す。
制御を戻された特殊制御部１９０は中断していたところから処理を再開する。
【００６５】
特殊制御部１９０は、S５０で着信または受信の信号を受け付けなかったとき、更に、通常モードに復帰するための入力操作を操作部１２０が受け付けたか否かチェックする。ここで、通常モードに復帰するための入力操作とは、サイドキー１２２の長押し中に、特殊モード解除パスワード３０２で設定されたパスワードを入力することである。
チェック結果が肯定のとき、特殊制御部１９０は、制御を制御部１７０に戻して処理を終了する。
【００６６】
なお、上述の説明では便宜上、着信または受信のチェック、あるいは通常モードに復帰するための入力操作のチェックとそれらの対応処理を、特殊モードの待ち受け状態のときに行なったが、これらのチェックの対象となる事象は、動作モード実行の処理(S４０）でも生じ得るので、生じたときに対応処理を行なう。
次に、S４０での特殊機能の動作モード実行の処理について、図１０に基づき簡単に述べる。
【００６７】
特殊制御部１９０は、動作モード割当４１０において、入力操作されたキーに対応する動作モードの処理を以下のように行なう。
キー１のカメラモードの場合、特殊制御部１９０は、写真撮影に関する処理を行なう（S１１０）。
キー２のムービモードの場合、特殊制御部１９０は、ムービーの撮影とその再生とに関する処理を行なう（S１２０）。
【００６８】
キー３のボイスレコーダモードの場合、特殊制御部１９０は、音声の録音と再生とに関する処理を行なう（S１３０）。
キー４のメロディモードの場合、特殊制御部１９０は、メロディの再生に関する処理を行なう（S１４０）。
キー５のビデオモードの場合、特殊制御部１９０は、ムービーの再生に関する処理を行なう（S１５０）。
【００６９】
キー６のボイスレコーダモードの場合、特殊制御部１９０は、ボイスレコードの再生に関する処理を行なう（S１６０）。
キー７のギターモードの場合、特殊制御部１９０は、ギターの演奏に関する処理を行なう（S１７０）。
キー８のギターモードの場合、特殊制御部１９０は、ドラムの演奏に関する処理を行なう（S１８０）。
【００７０】
キー９のギターモードの場合、特殊制御部１９０は、ピアノの演奏に関する処理を行なう（S１９０）。
キー０の鏡モードの場合、特殊制御部１９０は、表示部の鏡化に関する処理を行なう（S２００）。
メールキー１２７のお手紙モードの場合、特殊制御部１９０は、お手紙の作成と擬似的な送信の処理を行なう（S２１０）。
【００７１】
通話キー１２８のお電話モードの場合、特殊制御部１９０は、電話の擬似的な通話の処理を行なう（S２２０）。
以上の各動作モードにおいて、処理の実行が所定の時間、例えば１分間行われないとき、または操作部１２０が終了キー１２５の押下の操作を受け付け、操作部１２０からその旨を受け取ったとき、特殊制御部１９０は、当該動作モードを終了し、特殊モードの待ち受け画面を表示部１３０に表示し、待ち受け状態に戻す。
【００７２】
本実施の形態では、携帯電話機としたが、これに限定されないのは勿論であり、通信機能を有する端末、例えば携帯通信端末（PDA）でもよい。
また、着信メロディデータは、通常モードで使用する情報記憶部にあるデータを利用するとしたが、特殊情報記憶部のデータとして管理してもよい。
本発明の方法を、コンピュータシステムを用いて実現するためのコンピュータプログラムであるとしてもよいし、前記プログラムを表すデジタル信号であるとしてもよい。
【００７３】
また、本発明は、前記プログラムまたは前記デジタル信号を記録したコンピュータ読取り可能な記録媒体、例えば半導体メモリ等であるとしてもよい。
また、本発明は、電気通信回線、無線または有線通信回線、若しくはインターネットに代表されるネットワーク等を経由して伝送される前記コンピュータプログラムまたは前記デジタル信号であるとしてもよい。
【産業上の利用可能性】
【００７４】
本発明に係る携帯通信端末は、子供をもつ親向けの製品として通信機器の事業分野で活用される。
【図面の簡単な説明】
【００７５】
【図１】本発明に係る携帯通信端末の一実施の形態のブロック図である。
【図２】上記実施の形態の携帯電話機の開いた状態および閉じた状態の斜視図である。
【図３】上記実施の形態の情報記憶部の一例を示す図である。
【図４】上記実施の形態の特殊情報記憶部の一例を示す図である。
【図５】上記実施の形態の動作モード割当の一例を示す図である。
【図６】上記実施の形態のメロディ割当とギター割当の一例を示す図である。
【図７】上記実施の形態の特殊モードの環境設定メニュの一例を示す図である。
【図８】上記実施の形態の特殊モードの待ち受け画面の背景画像の一例である。
【図９】上記実施の形態の特殊モードの動作を示すフローチャート（主部）である。
【図１０】上記実施の形態の特殊モードの動作を示すフローチャート（副部）である。
【符号の説明】
【００７６】
１００  情報記憶部
１０１  特殊情報記憶部
１１０  通信部
１１１  アンテナ
１２０  操作部
１２１  テンキー
１２２  サイドキー
１２３  シャッタキー
１２４  ムービー撮影キー
１２５  終了キー
１２６  録音キー（またはメニュキー）
１２７  メールキー
１２８  通話キー
１２９  十字カーソル
１３０  表示部
１３１  副表示部
１３５  鏡化部
１４０  音声処理部
１４１  スピーカ
１４２  マイク
１５０  カメラ部
１５１  カメラのレンズ
１６０  シンセサイザ部
１７０  制御部
１９０  特殊制御部
３０１  特殊モード解除パスワード
３０２  着信メロディデータ
４０１  写真データ
４０２  ムービーデータ
４０３  ボイスレコードデータ
４１０  動作モード割当
４１１  メロディ割当
４１２  ビデオ割当
４１３  ボイス割当
４１４  ギター割当
４１５  ドラム割当
４１６  ピアノ割当
７０１  特殊モードの環境設定メニュ
８０１  特殊モードの待ち受け背景画面
【図１】
2005328477.tif 000003
【図２】
2005328477.tif 000004
【図３】
2005328477.tif 000005
【図４】
2005328477.tif 000006
【図５】
2005328477.tif 000007
【図６】
2005328477.tif 000008
【図７】
2005328477.tif 000009
【図８】
2005328477.tif 000010
【図９】
2005328477.tif 000011
【図１０】
2005328477.tif 000012